(57)【要約】 【課題】  発光面を形成する表面の周縁部からも光を照射することが可能な平面型放電管を提供する。【解決手段】  第１のガラス基板２の周縁部には、外周枠４が第１のガラス基板と一体にして立設され、この外周枠４には、外周枠４の外側に向かって傾斜する傾斜部４ａが設けられている。第１のガラス基板２に一体にして立設された誘電体リブ５の上面と、第２のガラス基板３の下面とを当設させて固定し位置決めを行った後、前記傾斜部４ａと第２のガラス基板３の下面周縁との間に形成された凹み部に、ガラス接着剤７を塗布して焼成すると、平面型放電管１の側面が封止される。この傾斜部４ａの凹み高さＨは、放電距離ｄよりも大きく形成されている。【選択図】          図１
2008010318.tif 000002
【特許請求の範囲】
【請求項１】
放電距離として規定された間隔にて対向配置した第１誘電体平板と第２誘電体平板の間に放電ガスを封入し放電空間を形成した平面型放電管であって、
透光性を有する前記第１誘電体平板の外周縁に立設する外周枠を形成し、前記放電距離よりも大きい凹み深さを有するとともに同外周枠の外側に向かって傾斜する面を凹み面として含む第１傾斜凹部を設け、
前記第１傾斜凹部の全部または一部に塗布した封止部材により、前記外周枠の上面と前記第２誘電体平板の下面とを密着して前記放電空間を封止し形成する、
ことを特徴とする平面型放電管。
【請求項２】
前記第１傾斜凹部の有する凹み面の一部分には、前記第２誘電体平板の下面と平行となる凹み面を有する、
ことを特徴とする請求項１に記載の平面型放電管。
【請求項３】
前記第１傾斜凹部の有する傾斜面には、反射部材が形成されている、
ことを特徴とする請求項１または請求項２に記載の平面型放電管。
【請求項４】
前記第１傾斜凹部の有する傾斜面には、凹凸加工が施されている、
ことを特徴とする請求項１または請求項２に記載の平面型放電管。
【請求項５】
放電距離として規定された間隔にて対向配置した第１誘電体平板と第２誘電体平板の間に放電ガスを封入し放電空間を形成した平面型放電管であって、
前記第１誘電体平板の外周縁に立設する外周枠を形成し、透光性を有する前記第２誘電体平板の厚さと同じ凹み深さを有するとともに同第２誘電体平板の外周縁に向かって傾斜する面を凹み面として含む第２傾斜凹部を設け、
前記第２傾斜凹部全部または一部に塗布した封止部材により、前記外周枠の上面と前記第２誘電体平板の下面とを封止して前記放電空間を形成する、
ことを特徴とする平面型放電管。
【請求項６】
前記第２傾斜凹部の有する凹み面の一部分には、前記第２誘電体平板の下面と平行となる凹み面を有する、
ことを特徴とする請求項５に記載の平面型放電管。
【請求項７】
前記第２傾斜凹部の有する傾斜面には、反射部材が形成されている、
ことを特徴とする請求項５または請求項６に記載の平面型放電管。
【請求項８】
前記第２傾斜凹部の有する傾斜面には、凹凸加工が施されている、
ことを特徴とする請求項５または請求項６に記載の平面型放電管。
【請求項９】
前記封止部材は、白色封止フリットからなる、
ことを特徴とする請求項１〜８のいずれかに記載の平面型放電管。
【発明の詳細な説明】
【技術分野】
【０００１】
本発明は、液晶表示装置のバックライト、照明用蛍光灯等に使用される平面型放電管に関する。
【背景技術】
【０００２】
従来、この種の平面型放電管としては、例えば特許文献１に記載されるものがある。図１１に示すように、この平面型放電管１は一対の誘電体平板としてのガラス基板２、３を備えており、第1のガラス基板２と第２のガラス基板３は、所定の放電距離ｄだけ離間するように配置されている。第１のガラス基板２の外周縁には放電距離ｄと同じ高さＨを有する外周枠４が、第１のガラス基板２と一体にして設けられ、さらに外周枠４の外側に沿って凹部４ｂが設けられている。また、放電距離ｄと等しい高さＲの複数の誘電体リブ５が第１のガラス基板２に一体にして設けられている。従って、放電距離ｄ、誘電体リブ５の高さＲおよび周枠４の支持面４ｂの高さの関係は、Ｈ＜Ｒ＝ｄとなる。両ガラス基板２、３の間隔は、誘電体リブ５により一定（ｄ）に保たれている。各誘電体リブ５は、それぞれ誘電体（例えばガラス）により長尺状に形成され、放電空間６内において互いに平行をなすように、且つ所定間隔毎に配置されている。また、各誘電体リブ５は、両ガラス基板２、３の長手方向に延びるように配置されている。このように、前記外周枠４と各誘電体リブ５とは、第１のガラス基板２と一体で形成されているが、これは例えば、一枚のガラス平板平面上を、前記外周枠４と誘電体リブ５との間、および各誘電体リブ５間だけマイクロブラスト等により加工して作成することができる。
【０００３】
前記外周枠４の凹部４ａには、封止部材としてのガラス接着剤（ガラスフリット低融点ガラス）７を誘電体リブ５の高さと等しくなる分だけ塗布（塗布厚さＲ−Ｈ）して、第２のガラス基板３を重ねて張り合わせた状態で焼成することにより互いに接合されている。両ガラス基板２、３の互いに対向する内面と前記外周枠４およびガラス接着剤７とにより、密閉された放電空間６が形成され、放電空間６は各誘電体リブ５により複数の放電域に区画されている。この放電空間６内にはキセノン等の不活性ガス（放電ガス）が封入されている。
【０００４】
両ガラス基板２、３のうち第２のガラス基板３の表面（図１１における上面）は発光面Ｓ（光を出す面）とされており、該発光面Ｓにはその前面にわたって膜状の透明電極８が形成されている。この透明電極８は、例えば酸化インジウムスズ（ＩＴＯ：Ｉｎｄｉｕｍ ｔｉｎ ｏｘｉｄｅ）にて形成されている。発光面Ｓとされない第１のガラス基板２の外面（図１１における下面）には、その全面にわたって不透明電極９が形成されている。この不透明電極９は、例えば銀、アルミニウム等の金属蒸着膜により形成されている。また、放電空間６内において、第1のガラス基板２の内面には、蛍光体膜１２が形成されている。
【０００５】
透明電極８および不透明電極９の外面にはそれぞれ導電接着剤１０ａ、１０ｂを介してリード線１１ａ、１１ｂの他端はそれぞれ交流電源（図示略）に接続されている。そして、両リード線１１ａ、１１ｂ及び両導電接着剤１０ａ、１０ｂを介して、透明電極８と不透明電極９との間に所定の交流電圧を印加すると、両ガラス基板２、３には放電（誘電体バリア放電）が発生し、励起したキセノン原子から紫外線が発生する。この紫外線が蛍光体膜１２に受け取られることにより可視光が得られる。
【０００６】
また、図１１における従来の平面型放電管の一部の構造を変更することにより、第１のガラス基板２の外面を発光面Ｓ１とすることができる。この場合、不透明電極９を例えば酸化インジウムスズからなる透明電極９とすればよい。このような両面へ発光する平面型放電管１の断面図の一部を図１２に示す。その他の構成要素は、図１１の平面型放電管の構成要素とほぼ同様であるが、第２のガラス基板３の内面および第１のガラス基板２に形成される外周枠４の内面にも蛍光体膜１２を設けている点が異なっている。以下、第２のガラス基板３の外面を発光面Ｓ２として説明する。
【特許文献１】国際公開第０５／０２７１８２パンフレット
【発明の開示】
【発明が解決しようとする課題】
【０００７】
ところが、上述の平面型放電管１の点灯状態において、発光面Ｓ１および発光面Ｓ２を外側から見た場合、外周枠４に対応する部分が黒く見える（Ａ１、図１２（ｂ）参照）。これは、図１２（ａ）に示すように、放電空間６に対向する領域からは光が照射される（Ａ０）が、放電空間６に対向しない領域からは光が照射されない（Ａ１）。その原因として、放電空間６の側壁から照射した光（Ｌ０）は、凹４ａの高さＨが放電距離ｄよりも極めて小さいために、光Ｌ０が妨げられずに、平面型放電管１の外周枠４を介して側面側へ照射（Ｌ１）されるからである。また、第２のガラス基板３の横方向への照射成分（Ｌ０’）は、第２のガラス基板３の横方向へ通過して平面型放電管１の側面側へ照射（Ｌ１’）されるからである。したがって、光Ａ０が照射される部分は、均質な発光が得られるが、複数の平面型放電管１を並列に配置する（図１３（ａ）参照）と、非発光部分Ａ１が暗く、図１３（ｂ）に示すように、照明装置として応用する場合、拡散板との距離Ｚを大きく設計しなければならなくなり、平面型放電管の長所である放電管の薄さを生かせないという問題があった。この問題を解決するには、平面型放電管の周縁部（非発光領域）を極力狭くすることが有効であると考えられるが、放電空間の封止の信頼性を下げること、および平面型放電管自体の機械的強度の低下を招く問題があり、この領域を狭くすることには限度があった。
【０００８】
本発明では、上記問題点を鑑みてなされたものであって、平面型放電管の表面周縁部からも光を照射することが可能な平面型放電管を提供することを目的とする。
【課題を解決するための手段】
【０００９】
前記目的を達成するために、請求項１に記載した平面型放電管は、
放電距離として規定された間隔にて対向配置した第１誘電体平板と第２誘電体平板の間に放電ガスを封入し放電空間を形成した平面型放電管であって、
透光性を有する前記第１誘電体平板の外周縁に立設する外周枠を形成し、前記放電距離よりも大きい凹み深さを有するとともに同外周枠の外側に向かって傾斜する面を凹み面として含む第１傾斜凹部を設け、
前記第１傾斜凹部の全部または一部に塗布した封止部材により、前記外周枠の上面と前記第２誘電体平板の下面とを密着して前記放電空間を封止し形成する、ことを特徴とする。
【００１０】
請求項１に記載した平面型放電管によれば、前記第１傾斜凹部の全部または一部に塗布された封止部材によって、前記放電空間から照射された光が、平面型放電管の側面側に漏れることなく、前記第１傾斜凹部に含まれる外周枠の外側に向かって傾斜する凹み面によって反射されて第１誘電体平板の表面側に照射する。したがって、第１誘電体平板の表面側から見た場合に、平面型放電管の周縁部からも光が照射されるので見栄えが良い。
【００１１】
また、請求項２に記載した平面型放電管は、請求項１に記載した平面型放電管に加えて、
前記第１傾斜凹部の有する凹み面の一部分には、前記第２誘電体平板の下面と平行となる凹み面を有する、ことを特徴とする。
【００１２】
請求項２に記載した平面型放電管によれば、請求項１に記載の平面型放電管の作用に加えて、
前記第１傾斜凹部の有する傾斜面の一部分には、前記第２誘電体平板の下面と平行となる凹み部を設けたので、前記放電空間から平面型放電管の側面側に照射された光が、この凹み部では反射できないため、第１誘電体平板の表面側に照射することができない。そのため、第１誘電体平板の表面側から見た場合に、この部分のみが暗くなるため、一様な光の中に明暗を付けることが可能となる。このような光を反射しない部分を形成することで、平面型放電管の周縁部に様々な光の模様を作り出すことができる。
【００１３】
また、請求項３に記載した平面型放電管は、請求項１または請求項２に記載の平面型放電管に加えて、
前記第１傾斜凹部の有する傾斜面には、反射部材が形成されている、
ことを特徴とする。
【００１４】
請求項３に記載した平面型放電管によれば、請求項１または請求項２に記載の平面型放電管の作用に加えて、
前記第１傾斜凹部の有する傾斜面に反射部材が形成されていることにより、放電空間から平面型放電管の側面側に照射された光が、この反射部材に照射されるので、反射効率を上げることが可能となり、平面型放電管の周縁部から表面側に向かって照射される光の照射効率を一層上昇させることができる。
【００１５】
また、請求項４に記載した平面型放電管は、請求項１または請求項２に記載の平面型放電管に加えて、
前記第１傾斜凹部の有する傾斜面には、凹凸加工が施されている、ことを特徴とする。
【００１６】
請求項４に記載した平面型放電管によれば、請求項１または請求項２に記載の平面型放電管の作用に加えて、
前記第１傾斜凹部の有する傾斜面に凹凸加工が施されていることにより、放電空間から平面型放電管の側面側に照射された光が乱反射するので、平面型放電管の周縁部から表面側に向かって照射される光には様々な光の模様を作り出すことができる。
【００１７】
また、請求項５に記載した平面型放電管は、
放電距離として規定された間隔にて対向配置した第１誘電体平板と第２誘電体平板の間に放電ガスを封入し放電空間を形成した平面型放電管であって、
前記第１誘電体平板の外周縁に立設する外周枠を形成し、透光性を有する前記第２誘電体平板の厚さと同じ凹み深さを有するとともに同第２誘電体平板の外周縁に向かって傾斜する面を凹み面として含む第２傾斜凹部を設け、
前記第２傾斜凹部全部または一部に塗布した封止部材により、前記外周枠の上面と前記第２誘電体平板の下面とを封止して前記放電空間を形成する、ことを特徴とする
【００１８】
請求項５に記載した平面型放電管によれば、
前記第２傾斜凹部の全部または一部に塗布された封止部材によって、前記放電空間から照射された光が、平面型放電管の側面側に漏れることなく反射されて、第２誘電体平板の表面側に照射する。したがって、第２誘電体平板の表面側から見た場合に、平面型放電管の周縁部からも光が照射されるので見栄えが良い。
【００１９】
また、請求項６に記載した平面型放電管は、請求項５に記載の平面型放電管に加えて、
前記第２傾斜凹部の有する凹み面の一部分には、前記第２誘電体平板の下面と平行となる凹み面を有する、ことを特徴とする。
【００２０】
請求項６に記載した平面型放電管によれば、請求項５に記載の平面型放電管の作用に加えて、
前記第２傾斜凹部の有する傾斜面の一部分には、前記第２誘電体平板の下面と平行となる凹み部を設けたので、前記放電空間から平面型放電管の側面側に照射された光が、この凹み部では反射できないため、第１誘電体平板の表面側に照射することができない。そのため、第１誘電体平板の表面側から見た場合に、この部分のみが暗くなるため、一様な光の中に明暗を付けることが可能となる。このような光を反射しない部分を形成することで、平面型放電管の周縁部に様々な光の模様を作り出すことができる。
【００２１】
また、請求項７に記載した平面型放電管は、請求項５または請求項６に記載の平面型放電管に加えて、
前記第２傾斜凹部の有する傾斜面には、反射部材が形成されている、ことを特徴とする。
【００２２】
請求項７に記載した平面型放電管によれば、請求項５または請求項６に記載の平面型放電管の作用に加えて、
前記第２傾斜凹部の有する傾斜面に反射部材が形成されていることにより、放電空間から平面型放電管の側面側に照射された光が、この反射部材に照射されるので、反射効率を上げることが可能となり、平面型放電管の周縁部から表面側に向かって照射される光の照射効率を一層上昇させることができる。
【００２３】
また、請求項８に記載した平面型放電管は、請求項５または請求項６に記載の平面型放電管に加えて、
前記第２傾斜凹部の有する傾斜面には、凹凸加工が施されている、ことを特徴とする。
【００２４】
請求項８に記載した平面型放電管によれば、請求項５または請求項６に記載の平面型放電管の作用に加えて、
前記第２傾斜凹部の有する傾斜面に凹凸加工が施されていることにより、放電空間から平面型放電管の側面側に照射された光が乱反射するので、平面型放電管の周縁部から表面側に向かって照射される光には様々な光の模様を作り出すことができる。
【００２５】
請求項９に記載した平面型放電管によれば、請求項１〜８のいずれかに記載の平面型放電管の作用に加えて、
前記封止部材は、白色封止フリットからなることにより、放電空間から平面型放電管の側面側に照射された光が、この白色封止フリットからなる封止部材に吸収されにくいので、従来の黒系統の色を基調とする封止フリットも用いた場合と比較すると、反射効率を上げることが可能となり、ひいては、平面型放電管の周縁部から表面側に向かって照射される光の照射効率を一層上昇させることができる。
【発明の効果】
【００２６】
以上の発明によれば、平面型放電管の周縁部からも光を表面側に照射することが可能な平面型放電管を提供することができる。従来、平面型放電管の側面側に漏れていた無効な光成分を、表面側周縁の非発光領域において利用することが可能となり、封止のために生じる領域による影を大幅に軽減することができる。また、側面側に漏れていた無効な光成分を有効に利用することが可能になり、放射効率を改善することができる。したがって、本発明の複数の平面型放電管を並列に配置して広面積の照明装置として応用する場合、個々の平面型放電管の周縁部からも表面側に光が照射されるので、ムラのない広い面積の照明装置を実現することができる。
【発明を実施するための最良の形態】
【００２７】
以下、本発明に係る平面型放電管の各実施形態について図面を参照して詳細に説明する。なお、以下の実施形態における平面型放電管の基本的構成は、図１１の従来の平面型放電管と同じ構成であるため、実施形態を説明するための図面に記載された従来と同じ構成要素には、同じ符号を付してある。
【００２８】
（第１の実施形態）
図１（ａ）は本実施形態の平面型放電管１の断面図の一部を拡大した図である。この平面型放電管１は、透光性を有する第１誘電体平板としての第１のガラス基板２と、同じく透光性を有する第２誘電体平板としての第２のガラス基板３とを対向配置させ、その間の放電空間６に放電ガスを封入して外周を封止して形成される密閉容器からなる。第１および第２のガラス基板２，３の外面には、酸化インジウムスズからなる透明電極９，８が設けられている。
【００２９】
第１のガラス基板２の周縁部には、外周枠４が第１のガラス基板と一体にして立設されこの外周枠４には、同外周枠４の外側に向かって傾斜する第１傾斜凹部としての傾斜部４ａが設けられている。第１のガラス基板２に一体にして立設された誘電体リブ５の上面５ａと、第２のガラス基板３の下面（内面）とを当設させて固定し位置決めを行った後、前記傾斜部４ａと第２のガラス基板３の下面周縁との間に形成された凹み部に、封止部材としてのガラス接着剤７を塗布して焼成することによって、平面型放電管１の側面が封止される。この傾斜部４ａの凹み高さＨは、放電距離ｄよりも大きく形成されている。
【００３０】
放電空間６から放射される可視光は、第１のガラス基板２の内面から外面を通り（Ａ０’）、透明電極８を介して第１のガラス基板２の表面側に放射される（Ａ０）。一方、傾斜部４ａの凹み高さＨが、放電距離ｄよりも大きく形成されているために、放電空間６の側面である外周縁４の内面から放射される光（Ｌ０）は、黒色のガラス接着剤７によって遮られ、平面型放電管１の側壁へ漏れない。また、傾斜部４ａによって、この放射光は、略直角下方向へ反射される（Ｌ１）ので、外周壁４に対応する平面型放電管１の周縁部からもこの反射光が放射される（Ａ１）。したがって、従来と異なり、第１のガラス基板２の外面全体から光が放射されるようになる（Ａ０＋Ａ１）。したがって、図１（ｂ）に示すように、平面型放電管１を点灯して発光面Ｓ１側から観察した場合、平面型放電管１の表面側にすべての光が放射され、周縁部には暗い領域が存在しない。
【００３１】
〈第１の実施形態の作用・効果〉
以上の第１の実施形態の平面型放電管によって奏する作用・効果を以下に列記する。
（１）傾斜部４ａの凹み高さＨが、放電距離ｄよりも大きく形成されており、傾斜部４ａと第２のガラス基板３の下面周縁との間に形成された凹み部に、ガラス接着剤７を塗布して平面型放電管１の外周を封止しているので、放電空間６の側面である外周縁４の内面から放射される光は、黒色のガラス接着剤７によって遮ることができる。したがって、平面型放電管１を点灯して発光面Ｓ１側から観察した場合、平面型放電管１の表面側にすべての光が放射され、従来のように側壁周辺にぼんやりとした薄暗い光が生じないので、たいへん見栄えがよい。
【００３２】
（２）放電空間６の側面である外周縁４の内面から放射される光は、傾斜部４ａによって反射されて、略直角方向下側へ反射されるので、外周壁４に対応する平面型放電管１の周縁部からも光が放射される。したがって、平面型放電管１の発光面Ｓ１側の全体から光が照射される。したがって、複数の平面型放電管を並列に配置して広面積の照明装置として応用する場合、平面型放電管１の周縁の光が生じない領域を極力減らすことができるため、ムラのない広い面積の照明装置を実現することができる。
【００３３】
〈第１の実施形態の別例〉
図２（ａ）および図３（ａ）に示す平面型放電管１では、第１傾斜凹部が傾斜部４ａと平面部４ａ’から構成されており、この平面部４ａ’は、本発明において「前記第２誘電体平板の下面と平行となる凹み面」に相当する。また、外周縁４には、放電距離ｄと高さが等しい支持面４ｂを有する。この支持面４ｂと、第２のガラス基板３の下面（内面）とを当設させて固定し位置決めを行った後、傾斜部４ａと平面部４ａ’とからなる第１傾斜凹部に、封止部材としてのガラス接着剤７を塗布して焼成することによって、平面型放電管１の側面が封止される。この傾斜部４ａの凹み高さＨは、放電距離ｄよりも大きく形成されている。なお、このように支持面４ｂを構成した場合には、第１の実施形態のように誘電体リブ５を設けていなくても前記位置決めが可能となる。
【００３４】
上述のような構成とすることにより、放電空間６の側面である外周縁４の内面から放射される光のうち、傾斜面４ａによって反射される光は、平面型放電管１の発光面Ｓ１側から照射される。一方、平面部４ａ’および外周枠４の支持面４ｂは、放電空間６から横方向に照射される光成分と平行であるため、ここで光が反射されず、したがって、この平面部４ａ’に対応する平面型放電管１の発光面Ｓ１側の部分からは光が照射されない。なお、図２では、平面部４ａ’と外周枠４の支持面４ｂとが隣接しているのに対し、図３では、これらは隣接していない。そのため、平面型放電管１の発光面Ｓ１側から光が照射されない部分の位置が異なっているため、形成される光の縞模様が異なる。したがって、図２（ｂ）および図３（ｂ）に示すように、平面型放電管１を点灯して発光面Ｓ１側から観察した場合、平面型放電管１の表面側の周縁部において、平面部４ａ’および外周枠４の支持面４ｂに対応する領域のみに暗い領域が存在するようになる。
【００３５】
〈第１の実施形態の別例の作用・効果〉
以上の第１の実施形態の別例では、前記（１）と同様の作用・効果を奏する他、以下の作用・効果を奏する。
（３）第１傾斜凹部として、傾斜部４ａと平面部４ａ’とを設けたことにより、放電空間６の側面である外周縁４の内面から放射される光は、傾斜部４ａによって略直角方向下側へ反射され、平面部４ａ’によっては反射されないので、平面型放電管１の表面周縁には、明暗を付けた様々な光の模様を作り出すことができる。
【００３６】
〈第１の実施形態のその他の例〉
・  図２に示した前記別例の応用として、図４に示すように、平面部４ａ’のみにガラス接着剤を塗布して封止し、傾斜部４ａにはガラス接着剤を塗布しないようにしてもよい。このような構成にすることによって、前記（３）と同様な作用・効果を奏することができるとともに、ガラス接着剤を節約することができる。なお、この場合、傾斜部４ａから外部へ光が漏れるために、前記（１）の作用・効果は生じない。また、この傾斜部４ａに対向する第２のガラス基板の周縁部３’（図４参照）を設けなくてもよい。なお、この場合の表面Ｓ１側からみた発光状態は、図２（ｂ）とほぼ同様であるが、最外周縁部の発光輝度は、中央部の発光輝度よりも小さくなる。
【００３７】
（第２の実施形態）
図５（ａ）は本実施形態の平面型放電管１の断面図の一部を拡大した図である。この平面型放電管１は、透光性を有する第１誘電体平板としての第１のガラス基板２と、同じく透光性を有する第２誘電体平板としての第２のガラス基板３とを対向配置させ、その間の放電空間６に放電ガスを封入して外周を封止して形成される密閉容器からなる。第１および第２のガラス基板２，３の外面には、酸化インジウムスズからなる透明電極９，８が設けられている。
【００３８】
第１のガラス基板２の周縁部には、外周枠４が第１のガラス基板と一体にして立設されている。第２のガラス基板３において、この外周枠４の上面に対向する部分には、第１傾斜凹部としての傾斜部３ａが設けられている。第１のガラス基板２に一体にして立設された誘電体リブ５の上面と、第２のガラス基板３の下面（内面）とを当設させて固定し位置決めを行った後、前記傾斜部３ａと第１のガラス基板２の外周枠４の上面との間に形成された凹み部に、封止部材としてのガラス接着剤７を塗布して焼成することによって、平面型放電管１の側面が封止される。この傾斜部３ａの凹み高さＢは、第２のガラス基板３の厚さｅと同じである。
【００３９】
放電空間６から放射される可視光は、第２のガラス基板３の内面から外面を通り（Ｂ０’）、透明電極８を介して、第２のガラス基板３の発光面Ｓ２側に放射される（Ｂ０）。一方、傾斜部３ａの凹み高さＢが、第２のガラス基板３の厚さｅと同じ高さで形成されているために、第２のガラス基板３の内面から横方向にガラス内部を通過した光成分（Ｌ０’）は、黒色のガラス接着剤７によって遮られ、平面型放電管１の側壁へ漏れない。また、傾斜部３ａによって、この放射光（Ｌ０’）は、略直角上方向へ反射されるので、外周壁４に対応する平面型放電管１の周縁部からもこの反射光が放射される（Ｂ１）。したがって、従来と異なり、第２のガラス基板３の外面全体から光が放射されるようになる（Ｂ０＋Ｂ１）。つまり、図５（ｂ）に示すように、平面型放電管１を点灯して発光面Ｓ２側から観察した場合、平面型放電管１の表面側にすべての光が放射され、周縁部には暗い領域が存在しない。
【００４０】
〈第２の実施形態の作用・効果〉
以上の第２の実施形態の平面型放電管によって奏する作用・効果を以下に列記する。
（４）傾斜部３ａの凹み高さＢが、第２のガラス基板３の厚さｅと同じ厚さで形成されており、傾斜部３ａと第１のガラス基板２の外周枠４の上面との間に形成された凹み部にガラス接着剤７を塗布して平面型放電管１の外周を封止しているので、第２のガラス基板３の内面から横方向にガラス内部を通過した光成分を、黒色のガラス接着剤７によってさえぎることができる。したがって、平面型放電管１を点灯して外部から観察した場合、平面型放電管１の発光面Ｓ２側にすべての光が放射され、従来のように側壁周辺にぼんやりとした薄暗い光が生じないので、たいへん見栄えがよい。
【００４１】
（５）第２のガラス基板３の内面から横方向にガラス内部を通過した光成分は、傾斜部３ａによって反射されて、略直角方向上側へ反射されるので、外周壁４に対応する平面型放電管１の周縁部からも光が放射される。したがって、平面型放電管１の発光面Ｓ２側の全体から光が照射される。したがって、複数の平面型放電管１を並列に配置して広面積の照明装置として応用する場合、平面型放電管１の周縁の光が生じない領域を極力減らすことができるため、ムラのない広い面積の照明装置を実現することができる。
【００４２】
〈第２の実施形態の別例〉
図６（ａ）は、第２の実施形態の別例を示している。この例では、第２傾斜凹部が傾斜部３ａと平面部３ａ’から構成されており、この平面部３ａ’は、本発明において「前記第２誘電体平板の下面と平行となる凹み面」に相当する。また、外周縁４と当設する支持面３ｂによって固定して位置決めが行われた後、傾斜部３ａと平面部３ａ’とからなる第２傾斜凹部に、封止部材としてのガラス接着剤７を塗布して焼成することによって、平面型放電管１の側面が封止される。この傾斜部３ａの凹み高さＢは、第２のガラス基板３の厚さｅと同じ高さで形成されている。なお、このように支持面３ｂを構成した場合には、第２の実施形態のように誘電体リブ５を設けていなくても前記位置決めが可能となる。
【００４３】
上述のような構成とすることにより、第２のガラス基板３の内面から横方向にガラス内部を通過した光成分（Ｌ０’）のうち、傾斜面３ａによって反射される光は、平面型放電管１の発光面Ｓ２側から照射される。一方、平面部３ａ’および支持面３ｂは、第２のガラス基板３の内面から横方向にガラス内部を通過した光成分と平行であるので、光が反射されず、したがって、この平面部３ａ’に対応する平面型放電管１の発光面Ｓ２側の部分からは光が照射されない。つまり、図６（ｂ）に示すように、平面型放電管１を点灯して発光面Ｓ２側から観察した場合、平面部３ａ’および支持面３ｂのみが暗くなる。
【００４４】
〈第２の実施形態・応用例の作用・効果〉
以上の第２の実施形態・応用例では、前記（４）と同様の作用・効果を奏する他、以下の作用・効果を奏する。
（６）第２傾斜凹部として、傾斜部３ａと平面部３ａ’とを設けたことにより、第２のガラス基板３の内面から横方向にガラス内部を通過した光成分は、傾斜部３ａによって略直角方向上側へ反射され、平面部３ａ’によっては反射されないので、平面型放電管１の表面周縁には、明暗を付けた様々な光の模様を作り出すことができる。
【００４５】
〈第２の実施形態のその他の例〉
・  図７に示したように、傾斜部４ａの幅Ｌを、外周縁の幅Ｍよりも小さく形成してもよい。この場合、支持面３ｂの幅（Ｍ−Ｌ）に対応する部分からは光が反射しないので、前記（６）と同様な作用・効果を生じる。この実施形態においては、平面型放電管１を点灯して発光面Ｓ２側から観察した場合、図６（ｂ）と同様な発光状態となる。
【００４６】
・  図８に示したように、傾斜部４ａの高さＢを、第２のガラス基板３の厚さｅよりも小さく形成してもよい。この場合、この高さＢは、第２のガラス基板３の厚さｅの６０％以上にすることが好ましい。更に好ましくは８０％以上にするよい。このように構成することにより、前記（４）および（５）とほぼ同等の作用・効果を奏する。この実施形態においては、平面型放電管１を点灯して発光面Ｓ２側から観察した場合、図５（ｂ）と同様な発光状態となる。
【００４７】
（他の実施形態等）
なお、本発明は上記の実施形態に限定するものではなく、本発明の要旨を変更しない範囲で様々な実施が可能である。以下にその他の実施形態等を列記する。
【００４８】
・  本発明において、第１傾斜凹部または第２傾斜凹部の有する傾斜面に、反射部材を設けてもよい。このような構成とすることにより、平面型放電管の側面方向に照射された光が、この反射部材に照射されるので、反射効率を上げることが可能となり、ひいては、平面型放電管の周縁部から表面側に向かって照射される光の照射効率を一層上昇させることができる。
【００４９】
・  本発明において、第１傾斜凹部または第２傾斜凹部の有する傾斜面に凹凸加工を施してもよい。このような構成とすることにより、放電空間から平面型放電管の側面方向に照射された光が乱反射するので、平面型放電管の周縁部から表面側に向かって照射される光には様々な光の模様を作り出すことができる。
【００５０】
・  本発明において、封止部材として白色封止フリットとしてもよい。このような構成とすることにより、放電空間から平面型放電管の側面方向に照射された光が、この白色封止フリットからなる封止部材に吸収されにくいので、従来の黒系統の色を基調とする封止フリットも用いた場合と比較すると、反射効率を上げることが可能となり、ひいては、平面型放電管の周縁部から表面側に向かって照射される光の照射効率を一層上昇させることができる。なお、前記「白色」は、白色系の意味を含むものとし、黒色系とは区別する。
【００５１】
・  本発明において、平面型放電管として、片側の面に発光する場合について述べてきたが、例えば図９に示すように、第１の実施形態と第２の実施形態とを組み合わせて、両面発光に適用することも可能である。なお、片面発光の平面型放電管を形成する場合には、いずれか一方の面の誘電体平板を不透明としてもよいし、いずれか一方の面に形成する薄膜電極を不透明な電極としてもよい。この実施形態においては、平面型放電管１を点灯して発光面Ｓ１およびＳ２側から観察した場合、両面ともに図１（ｂ）と同様な発光状態となる。
【００５２】
・  図１０に示すように、第１の実施形態における第１誘電体平板としての第１のガラス基板の内面側を２牧組み合わせて放電空間を組み合わせて形成してもよい。このような構成とすることによって、表裏両面に関して、第１の実施形態における前記（１）または（２）と同様の作用・効果を奏する。この実施形態においては、平面型放電管１を点灯して発光面Ｓ１、Ｓ１側から観察した場合、両面ともに図１（ｂ）と同様な発光状態となる。
【００５３】
・  前記実施形態の平面型放電管は、第１および第２のガラス基板の外面に一対の透明電極を形成しているが、これに限定されない。例えば、いずれか一方の透明電極を放電空間内面に形成することも可能であるし、一対の透明電極をそれぞれのガラス基板の内面（放電空間を形成する面）に設けてもよい。この場合、いずれか一方の透明電極上に例えば誘電体膜等のバリアを設ける必要がある。
【００５４】
・  また、放電空間の両端に一対の棒状電極を形成した平面型放電管に本発明を適用させることも可能である。
【００５５】
（附記）
これらの実施形態より把握される請求項に記載した以外の技術的思想について以下に列記する。
（ａ）放電距離として規定された間隔にて対向配置した第１誘電体平板と第２誘電体平板の間に放電ガスを封入し放電空間を形成した平面型放電管であって、
透光性を有する前記第１誘電体平板の外周縁に立設する第１外周枠を形成し、前記第１外周枠の外側に向かって傾斜する面を凹み面として含む第１傾斜凹部を設け、
透光性を有する前記第２誘電体平板の外周縁に立設する第２外周枠を形成し、前記第２外周枠の外側に向かって傾斜する面を凹み面として含む第２傾斜凹部を設け、
前記第１傾斜凹部の全部または一部並びに前記第１傾斜凹部の全部または一部に塗布した封止部材により、前記第１外周枠の上面と前記第２外周枠の上面とを密着して前記放電空間を封止し形成する、ことを特徴とする平面型放電管。
この平面型放電管によれば、両面へ発光する場合において、前記（１）と前記（２）あるいは（３）に記載の作用・効果を奏する。
【図面の簡単な説明】
【００５６】
【図１】（ａ）は、第１の実施形態における平面型放電管の拡大断面図、（ｂ）は表面側から見た発光状態を示す図である。
【図２】（ａ）は、第１の実施形態の別例における平面型放電管の拡大断面図、（ｂ）は表面側から見た発光状態を示す図である。
【図３】（ａ）は、第１の実施形態の別例における平面型放電管の拡大断面図、（ｂ）は表面側から見た発光状態を示す図である。
【図４】第１の実施形態の別例における平面型放電管の拡大断面図である。
【図５】（ａ）は、第２の実施形態における平面型放電管の拡大断面図、（ｂ）は表面側から見た発光状態を示す図である。
【図６】（ａ）は、第２の実施形態の別例における平面型放電管の拡大断面図、（ｂ）は表面側から見た発光状態を示す図である。
【図７】第２の実施形態の別例における平面型放電管の拡大断面図である。
【図８】第２の実施形態の別例における平面型放電管の拡大断面図である。
【図９】第１の実施形態と第２の実施形態を組み合わせた例である。
【図１０】第１の実施形態の応用例における平面型放電管の拡大断面図である。
【図１１】（ａ）は従来の平面型放電管の分解斜視図、（ｂ）は（ａ）のＸ−Ｘ断面図である。
【図１２】（ａ）は従来の平面型放電管の拡大断面図、（ｂ）は表面側から見た発光状態を示す図である。
【図１３】（ａ）は従来の平面型放電管を複数配置した図であり、（ｂ）は拡散板を配置した照明装置の例を示した図である。
【符号の説明】
【００５７】
１・・・平面型放電管、２・・・第１のガラス基板、３・・・第２のガラス基板、３ａ・・・傾斜部、３ａ’・・・平面部、３ｂ・・・支持面、４・・・外周縁、４ａ・・・傾斜部、４ａ’・・・平面部、４ｂ・・・支持面、５・・・誘電体リブ、６・・・放電空間、７・・・ガラス接着剤、８・・・透明電極、９・・・不透明電極（透明電極）、１２・・・蛍光体膜。
【図１】
2008010318.tif 000003
【図２】
2008010318.tif 000004
【図３】
2008010318.tif 000005
【図４】
2008010318.tif 000006
【図５】
2008010318.tif 000007
【図６】
2008010318.tif 000008
【図７】
2008010318.tif 000009
【図８】
2008010318.tif 000010
【図９】
2008010318.tif 000011
【図１０】
2008010318.tif 000012
【図１１】
2008010318.tif 000013
【図１２】
2008010318.tif 000014
【図１３】
2008010318.tif 000015